(57)【要約】【課題】    災害時等、屋外でトイレをしたい場合、周囲の目を気にせずに処理することができる非常時用ベストを提供する。【解決手段】    非常時用ベストＡは、袖無し胴衣であるベスト本体１と、このベスト本体１に着脱自在に取り付けられ、被着者の身体の下半身を覆う筒状のカバー２とを備えているものである。【選択図】図１
0003122418.tif 000002
【実用新案登録請求の範囲】
【請求項１】
袖無し胴衣であるベスト本体と、
このベスト本体に着脱自在に取り付けられ、被着者の身体の下半身を覆う筒状のカバーと
を備えていることを特徴とする非常時用ベスト。
【請求項２】
袖無し胴衣であると共に、係止部を有するベスト本体と、
このベスト本体に設けられた複数の収納部と、
前記係止部に係止される被係止部を有し、被着者の身体の下半身を覆う筒状のカバーと、
この筒状のカバーを前記複数の収納部の内の何れか一つの収納部に収納されている
ことを特徴とする非常時用ベスト。
【請求項３】
カバーには、前記カバーの表裏を貫く被着者の右手を入れる右手開口部と、前記カバーの表裏を貫く前記被着者の左手を入れる左手開口部とを備えていることを特徴とする請求項１又は２記載の非常時用ベスト。
【請求項４】
筒状のカバーには、前記筒状のカバーの表裏を貫く被着者の右手を入れる右手開口部と、前記筒状のカバーの表裏を貫く前記被着者の左手を入れる左手開口部と、前記筒状のカバーの裏側に物品を収納する裏側物品収納部とを備えていることを特徴とする請求項１又は２記載の非常時用ベスト。
【請求項５】
ベスト本体に設けられた複数の収納部と、
前記ベスト本体の後身ごろの表面であって、前記ベスト本体の下端部より襟元に近い側に取り付けられた取っ手と、
を備えていることを特徴とする請求項１又は２記載の非常時用ベスト。
【請求項６】
ベスト本体に設けられた複数の収納部と、
前記ベスト本体の後身ごろの表面であって、前記ベスト本体の下端部より襟元に近い側に取り付けられた取っ手と、
この取っ手は、帯状部材の両端部を残して折曲し、該折曲した端部は縫製により該折曲した状態を保持し、折曲されていない前記帯状部材の両端部を前記後身ごろに前記取っ手がＵ字状に垂れ下がると共に、前記折曲した端部を縫製し、折曲していない前記帯状部材の両端部を前記後身ごろに縫製により取り付けられている
ことを特徴とする請求項１又は２記載の非常時用ベスト。
【考案の詳細な説明】
【技術分野】
【０００１】
本考案は、例えば、地震等の災害が発生した状況下にあって脱出避難に好適な非常時用ベストに係り、特に、災害時等、屋外でトイレをしたい場合、周囲の目を気にせずに処理することができる非常時用ベストに関する。
【背景技術】
【０００２】
従来、災害時等、屋外でトイレをしたい場合、周囲の目を気にせずに処理することができる簡易便器用衣服がある（例えば、特許文献１参照）。
これは、末広がりの円筒形状衣服を頭部からかぶり、首部から下部の身体を覆い隠すように着用するものである。
しかしながら、上述した簡易便器用衣服にあっては、それ専用であり、地震等の脱出避難時に持ち出せる量が少ない状況下にあって、簡易便器用衣服の胴衣部分の有効活用が図られていないという問題点が生じる。
【特許文献１】特開２００１−１１５３０９号公報（図１）
【考案の開示】
【考案が解決しようとする課題】
【０００３】
本考案は、前記した問題点を除去するように、袖無し胴衣であるベスト本体を共通化して、必要に応じてベスト本体に被着者の身体の下半身を覆う筒状のカバーを取り付けることができる非常時用ベストを提供することを目的としている。
【課題を解決するための手段】
【０００４】
前記した目的を達成するための請求項１記載の非常時用ベストは、袖無し胴衣であるベスト本体と、このベスト本体に着脱自在に取り付けられ、被着者の身体の下半身を覆う筒状のカバーとを備えているものである。
【０００５】
また、請求項２記載の非常時用ベストは、袖無し胴衣であると共に、係止部を有するベスト本体と、このベスト本体に設けられた複数の収納部と、前記係止部に係止される被係止部を有し、被着者の身体の下半身を覆う筒状のカバーと、この筒状のカバーを前記複数の収納部の内の何れか一つの収納部に収納されているものである。
【０００６】
また、請求項３記載の非常時用ベストは、請求項１又は２記載の非常時用ベストにおいて、カバーには、前記カバーの表裏を貫く被着者の右手を入れる右手開口部と、前記カバーの表裏を貫く前記被着者の左手を入れる左手開口部とを備えているものである。
【０００７】
また、請求項４記載の非常時用ベストは、請求項１又は２記載の非常時用ベストにおいて、筒状のカバーには、前記筒状のカバーの表裏を貫く被着者の右手を入れる右手開口部と、前記筒状のカバーの表裏を貫く前記被着者の左手を入れる左手開口部と、前記筒状のカバーの裏側に物品を収納する裏側物品収納部とを備えているものである。
【０００８】
また、請求項５記載の非常時用ベストは、請求項１又は２記載の非常時用ベストにおいて、 ベスト本体に設けられた複数の収納部と、前記ベスト本体の後身ごろの表面であって、前記ベスト本体の下端部より襟元に近い側に取り付けられた取っ手とを備えているものである。
【０００９】
また、請求項６記載の非常時用ベストは、ベスト本体に設けられた複数の収納部と、前記ベスト本体の後身ごろの表面であって、前記ベスト本体の下端部より襟元に近い側に取り付けられた取っ手と、この取っ手は、帯状部材の両端部を残して折曲し、該折曲した端部は縫製により該折曲した状態を保持し、折曲されていない前記帯状部材の両端部を前記後身ごろに前記取っ手がＵ字状に垂れ下がると共に、前記折曲した端部を縫製し、折曲していない前記帯状部材の両端部を前記後身ごろに縫製により取り付けられているものである。
【考案の効果】
【００１０】
請求項１記載の非常時用ベストによれば、袖無し胴衣であるベスト本体を共通化して、必要に応じてベスト本体に被着者の身体の下半身を覆う筒状のカバーを取り付けて、災害時等、屋外でトイレをしたい場合、周囲の目を気にせずに処理することができ、また、災害時等、屋外での防寒対策にも便利である。
【００１１】
また、請求項２記載の非常時用ベストによれば、ベスト本体の収納部に筒状のカバーを収納しているため、袖無し胴衣であるベスト本体を共通化して、必要に応じて災害時等、屋外でトイレをしたい場合、収納部より筒状のカバーを取り出し、ベスト本体に被着者の身体の下半身を覆う筒状のカバーを取り付けて、周囲の目を気にせずに処理することができ、また、災害時等、屋外での防寒対策にも便利である。
【００１２】
また、請求項３記載のベストによれば、前述した請求項１又は２記載の考案の効果に加え、災害時等、筒状のカバー内でトイレをした場合の後処理を筒状のカバー内に設けた右手開口部及び左手開口部を介して手を入れて、周囲の目を気にせずに後処理をすることができる。
【００１３】
また、請求項４記載の非常時用ベストによれば、前述した請求項１又は２記載の考案の効果に加え、災害時等、筒状のカバー内でトイレをした場合の後処理を筒状のカバー内に設けた右手開口部及び左手開口部を介して手を入れて、周囲の目を気にせずに後処理をすることができ、しかも、後処理したものを、周囲の目を気にせずに、例えば、袋に入れ、該袋を裏側物品収納部に収納することができる。
【００１４】
また、請求項５記載の非常時用ベストによれば、前述した請求項１又は２記載の考案の効果に加え、ベスト本体に設けられた複数の収納部に必要な物品、例えば、請求項１記載の筒状のカバー、携帯電話、懐中電灯、靴、小型ラジオ、防災頭巾、非常用食料、保温シート等を収納し、災害時等において、ベストを着ないで避難する際、取っ手を持って、ベストを利用して物品を簡易に運ぶことができ、しかも、取っ手は、ベスト本体の後身ごろの表面であって、前記ベスト本体の下端部より襟元に近い側に取り付けられているため、ベストを着ても支障が無い。
【００１５】
また、請求項６記載のベストによれば、前述した請求項５記載の考案の効果に加え、折曲していない帯状部材の両端部を後身ごろに縫製により取り付けられているため、取り付けられる部位が折曲していない分、取付の面積を多く取ることができ取っ手を後身ごろに強固に取り付けられ、また、取っ手は、帯状部材の両端部を残して折曲し、該折曲した端部は縫製により該折曲した状態を保持し、折曲されていない前記帯状部材の両端部を後身ごろに前記取っ手がＵ字状に垂れ下がるように縫製により取り付けられているため、前記折曲した端部は縫製により前記折曲した状態を保持する分、ある程度剛性を有し、取っ手は垂れ下がった状態においては、Ｕ字状を保持でき、見栄えも良く、更に、前記折曲した端部の縫製した部位を後身ごろに対向するように縫製により取り付けられているため、縫製した部位が、取っ手が垂れ下がった状態においては、見えず、外観的にも良い。
【考案を実施するための最良の形態】
【００１６】
本考案の一実施例の非常時用ベストを図面を参照して説明する。
図１乃至図９において、Ａは、例えば、地震等の災害が発生した状況下にあって脱出避難に好適な非常時用ベストで、非常時用ベストＡは、概略的に、袖無し胴衣であるベスト本体１と、このベスト本体１に着脱自在に取り付けられ、被着者の身体の下半身を覆う筒状のカバー２とを備えている（図１及び図２参照）。
このように、ベスト本体１に被着者の身体の下半身を覆う筒状のカバー２を取り付けたのは、災害時等、屋外でトイレをしたい場合、周囲の目を気にせずに処理することができ、また、災害時等、屋外での防寒対策をも考慮したためである。また、筒状のカバー２をベスト本体１に着脱自在に取り付けるようにしたのは、袖無し胴衣であるベスト本体１を共通化して、必要に応じてベスト本体１に被着者の身体の下半身を覆うようにするためである。
【００１７】
また、ベスト本体１には、複数の収納部、例えば、図３に示すように、前身衣１１の正面から見て右側上に前右上収納部１１ａ、右側下に前右下収納部１１ｂ、前身衣１１の正面から見て左側上に前左上収納部１１ｃ、左側下に前左下収納部１１ｄ、また、図４に示すように、後身衣１１の背面から見て左側上に後左上収納部１２ａ、右側上に後右上収納部１２ｂ、後左上収納部１２ａ及び後右上収納部１２ｂの下に後下収納部１２ｃ、前右上収納部１１ａの裏面に前右上裏面収納部１１ｅ、前左上収納部１１ｃの裏面に前左上裏面収納部１１ｆ、後下収納部１２ｃの裏面に後下裏面収納部１２ｄが、それぞれ設けられている。
これら収納部には、災害時に必要な、例えば、前右上収納部１１ａに携帯電話が、前右下収納部１１ｂに靴が、前左上収納部１１ｃに懐中電灯が、前左下収納部１１ｄに小型ラジオが、後左上収納部１２ａ及び後右上収納部１２ｂに非常用食料が、後下収納部１２ｃに筒状のカバー２、防災頭巾３が、前右上裏面収納部１１ｅに財布が、前左上裏面収納部１１ｆにメモ用紙が、後下裏面収納部１２ｄに健康保険証、預金通帳等が、それぞれ収納されるようになっている。なお、防災頭巾３は、必要に応じて取り外しできるようになっている。
また、ベスト本体１は、図３及び図４に示すように、係止部１１ｇ、１１ｇ、１２ｇ、１２ｇを有する。例えば、前身衣１１の側に２個（１１ｇ、１１ｇ）、後身衣１２に２個（１２ｇ、１２ｇ）有している。
【００１８】
また、図４に示す４は、ベスト本体１の後身ごろ１２の表面であって、ベスト本体１の下端部１ａより襟元１ｂに近い側に取り付けられた取っ手である。この取っ手４は、図６乃至図８に示すように、帯状部材４１の両端部４１ａ、４１ｂを残して折曲し、該折曲した端部４１ｃは縫製により該折曲した状態を保持し、折曲されていない帯状部材４１の両端部４１ａ、４１ｂを後身ごろ１２に取っ手４がＵ字状に垂れ下がると共に、折曲した端部４１ｃを縫製（縫製された部位４１ｄ）し、折曲していない帯状部材４１の両端部４１ａ、４１ｂを後身ごろ１２に縫製（縫製された部位４１ｅ、４１ｆ）により取り付けられている。
即ち、折曲していない帯状部材４１の両端部４１ａ、４１ｂを後身ごろ１２に縫製により取り付けられているため、取り付けられる部位が折曲していない分、取付の面積を多く取ることができ、取っ手４を後身ごろ１２に強固に取り付けることができ、また、取っ手４は、帯状部材４１の両端部４１ａ、４１ｂを残して折曲し、該折曲した端部４１ｃは縫製により該折曲した状態を保持し、折曲されていない帯状部材４１の両端部４１ａ、４１ｂを後身ごろ１２に取っ手４がＵ字状に垂れ下がるように縫製により取り付けられているため、折曲した端部４１ｃは縫製により前記折曲した状態を保持する分、ある程度剛性を有し、取っ手４は垂れ下がった状態においては、Ｕ字状を保持でき、見栄えも良く、更に、折曲した端部４１ｃの縫製した部位を後身ごろ１２に対向するように縫製により取り付けられているため、縫製した部位が、取っ手４が垂れ下がった状態においては、見えず、外観的にも良い。
【００１９】
また、被着者の身体の下半身を覆う筒状のカバー２には、係止部１１ｇ、１１ｇ、１２ｇ、１２ｇに係止される被係止部２１ｇ、２１ｇは筒状のカバー２の表側に、被係止部２２ｇ、２２ｇは筒状のカバー２の表側に、それぞれ設けられている。
また、筒状のカバー２には、筒状のカバー２の表裏を貫く被着者の右手を入れる右手開口部２Ｒと、筒状のカバー２の表裏を貫く前記被着者の左手を入れる左手開口部２Ｌと、筒状のカバー２の裏側に物品を収納する裏側物品収納部２３、２４とを備えている。
右手開口部２Ｒ及び左手開口部２Ｌを設けたのは、災害時等、筒状のカバー２内でトイレをした場合、筒状のカバー２内に設けた右手開口部２Ｒ及び左手開口部２Ｌを介して手を入れて、周囲の目を気にせずに処理をすることができ、しかも、処理したものを、周囲の目を気にせずに、例えば、袋に入れ、該袋を裏側物品収納部２３、２４に収納することができるためである。
【００２０】
なお、非常時用ベストＡは、例えば、地震等の災害に備えて、図９に示すように、壁Ｋに設けたフックＦに取っ手４を係止するようにしている。また、筒状のカバー２の右手開口部２Ｒ及び左手開口部２Ｌには、図１０（ａ）（ｂ）に示すように、右手アームカバー２ＲＣ、左手アームカバー２ＬＣを設けても良く、また、筒状のカバー２に開閉自在なファスナー１００、肩にかけるストラップ１１、１２を設けるようにしても良い。
【図面の簡単な説明】
【００２１】
【図１】図１は、本考案の一実施例であるベスト本体に筒状のカバーを取り付けた状態の非常時用ベストの概略的正面図である。
【図２】図２は、図１の非常時用ベストを背面側から見た概略的背面図である。
【図３】図３は、図１の非常時用ベストのベスト本体の概略的正面図である。
【図４】図４は、図３の非常時用ベストのベスト本体を背面側から見た概略的背面図である。
【図５】図５は、図３の非常時用ベストのベスト本体のファスナーを開いて示す概略的展開図である。
【図６】図６（ａ）は、取っ手の取り付け状態を示す概略的図で、（ｂ）は図６（ａ）のＸ−Ｘ線による概略的断面図である。
【図７】図７は、取っ手を持ち上げた状態の概略的図である。
【図８】図８は、図２に示す取っ手の取り付け状態を示す概略的説明図で、（ａ）は帯状部材の正面図であり、（ｂ）は図８（ａ）の帯状部材の両端部を残して折曲した状態の正面図であり、（ｃ）は図８（ｂ）の帯状部材の折曲した端部を縫製した状態の正面図であり、（ｄ）は図８（ｃ）の側面図である。
【図９】図９は、図３のベスト本体を壁に掛けた状態の概略的正面図である。
【図１０】図１０は、図１の筒状のカバーの他の実施例で、（ａ）は筒状のカバーの概略的正面図であり、（ｂ）は図１０（ａ）のＹ−Ｙ線による概略的断面図である。
【符号の説明】
【００２２】
Ａ    …………非常時用ベスト
１    …………ベスト本体
２    …………筒状のカバー
【図１】
0003122418.tif 000003
【図２】
0003122418.tif 000004
【図３】
0003122418.tif 000005
【図４】
0003122418.tif 000006
【図５】
0003122418.tif 000007
【図６】
0003122418.tif 000008
【図７】
0003122418.tif 000009
【図８】
0003122418.tif 000010
【図９】
0003122418.tif 000011
【図１０】
0003122418.tif 000012
【手続補正書】
【提出日】平成18年4月10日(2006.4.10)
【手続補正１】
【補正対象書類名】実用新案登録請求の範囲
【補正対象項目名】全文
【補正方法】変更
【補正の内容】
【実用新案登録請求の範囲】
【請求項１】
袖無し胴衣であるベスト本体と、
このベスト本体に着脱自在に取り付けられると共に、被着者の身体の下半身を覆う筒状のカバーと
を備えていることを特徴とする非常時用ベスト。
【請求項２】
袖無し胴衣であると共に、係止部を有するベスト本体と、
このベスト本体に設けられた複数の収納部と、
前記係止部に係止される被係止部を有すると共に、被着者の身体の下半身を覆う筒状のカバーと、
この筒状のカバーを前記複数の収納部の内の何れか一つの収納部に収納されている
ことを特徴とする非常時用ベスト。
【請求項３】
カバーには、前記カバーの表裏を貫く被着者の右手を入れる右手開口部と、前記カバ
ーの表裏を貫く前記被着者の左手を入れる左手開口部とを備えていることを特徴とする請
求項１又は２記載の非常時用ベスト。
【請求項４】
筒状のカバーには、前記筒状のカバーの表裏を貫く被着者の右手を入れる右手開口部
と、前記筒状のカバーの表裏を貫く前記被着者の左手を入れる左手開口部と、前記筒状の
カバーの裏側に物品を収納する裏側物品収納部とを備えていることを特徴とする請求項１
又は２記載の非常時用ベスト。
【請求項５】
ベスト本体に設けられた複数の収納部と、
前記ベスト本体の後身ごろの表面であって、前記ベスト本体の下端部より襟元に近い
側に取り付けられた取っ手と、
を備えていることを特徴とする請求項１又は２記載の非常時用ベスト。
【請求項６】
ベスト本体に設けられた複数の収納部と、
前記ベスト本体の後身ごろの表面であって、前記ベスト本体の下端部より襟元に近い
側に取り付けられた取っ手と、
この取っ手は、帯状部材の両端部を残して折曲し、該折曲した端部は縫製により該折
曲した状態を保持し、折曲されていない前記帯状部材の両端部を前記後身ごろに前記取っ
手がＵ字状に垂れ下がると共に、前記折曲した端部を縫製し、折曲していない前記帯状部
材の両端部を前記後身ごろに縫製により取り付けられている
ことを特徴とする請求項１又は２記載の非常時用ベスト。
【手続補正２】
【補正対象書類名】明細書
【補正対象項目名】０００４
【補正方法】変更
【補正の内容】
【０００４】
前記した目的を達成するための請求項１記載の非常時用ベストは、袖無し胴衣であるベスト本体と、このベスト本体に着脱自在に取り付けられると共に、被着者の身体の下半身を覆う筒状のカバーとを備えているものである。
【手続補正３】
【補正対象書類名】明細書
【補正対象項目名】０００５
【補正方法】変更
【補正の内容】
【０００５】
また、請求項２記載の非常時用ベストは、袖無し胴衣であると共に、係止部を有するベスト本体と、このベスト本体に設けられた複数の収納部と、前記係止部に係止される被係止部を有すると共に、被着者の身体の下半身を覆う筒状のカバーと、この筒状のカバーを前記複数の収納部の内の何れか一つの収納部に収納されているものである。